(57)【特許請求の範囲】
【請求項１】
筆の手入れシステムにおいて：
乾燥している筆を保有するための乾燥グラスであって、当該乾燥グラスを換気する１つ以上の開口を有する１つ以上の壁面と、水を保有する部分を画定して密閉されている底部とを有する乾燥グラスと、
筆を洗浄するための１つ以上の容器を有する洗浄カップであって、組立体を形成するように前記乾燥グラスに脱着可能に固定することができる洗浄カップと、
洗浄するために筆をこれに対して激しく動かすことができるクリーニングスクリーンを有する筆クリーナーであって、前記組立体内に配置される筆クリーナーとを具えることを特徴とする筆の手入れシステム。
【請求項２】
請求項１に記載の筆の手入れシステムにおいて：
前記筆クリーナーが前記洗浄カップ内に配置されることを特徴とする筆の手入れシステム。
【請求項３】
請求項１に記載の筆の手入れシステムにおいて：
前記クリーニングスクリーンが摩擦を発生する表面を有していることを特徴とする筆の手入れシステム。
【請求項４】
請求項１に記載の筆の手入れシステムにおいて：
前記筆クリーナーが前記クリーニングスクリーンに取り付けられた取り出しハンドルを有し、当該取り出しハンドルが、前記筆クリーナーを前記洗浄カップから簡単に取り外したりその中に配置できるようにすることを特徴とする筆の手入れシステム。
【請求項５】
請求項１に記載の筆の手入れシステムがさらに：
前記洗浄カップ内に配置された界面活性剤の錠剤を具え、前記筆クリーナーは前記界面活性剤の錠剤の上に載ることを特徴とする筆の手入れシステム。
【請求項６】
請求項５に記載の筆の手入れシステムにおいて：
前記界面活性剤の錠剤が溶解するのに伴い、前記筆クリーナーが前記洗浄カップ内で下降することを特徴とする筆の手入れシステム。
【請求項７】
請求項１に記載の筆の手入れシステムにおいて、さらに：
前記クリーニングスクリーンが開口を有していることを特徴とする筆の手入れシステム。
【請求項８】
請求項１に記載の筆の手入れシステムにおいて、さらに：
前記クリーニングスクリーンが粗い表面を有していることを特徴とする筆の手入れシステム。
【請求項９】
請求項１に記載の筆の手入れシステムにおいて：
前記洗浄カップの１つ以上の容器が、それぞれが水、液体、または洗浄溶液を収容する複数の容器を含むことを特徴とする筆の手入れシステム。
【請求項１０】
請求項１に記載の筆の手入れシステムにおいて：
乾燥している間、前記筆が前記乾燥グラス内に毛を下にして保持されることを特徴とする筆の手入れシステム。
【請求項１１】
請求項１０に記載の筆の手入れシステムにおいて：
保護スリーブが前記筆の毛のまわりに配置されることを特徴とする筆の手入れシステム。
【請求項１２】
筆の手入れシステムにおいて：
少なくとも１つの壁面と密閉された底部とを有する、筆を乾燥するための容器を提供する乾燥グラスであって、前記少なくとも１つの壁面は前記乾燥グラス内で筆を乾燥させるための１つ以上の開口を有し、前記密閉された底部は水を保有する部分を画定して密閉されている、乾燥グラスと、
筆をこれに対して激しく動かすことができる、摩擦を発生する表面を提供するクリーナーと、
筆を洗浄する液体を保有するための洗浄カップであって、清浄化材料を保有することができる洗浄カップと、
前記グラス、前記クリーナー、および前記カップを組立体に組み合わせる固定機構とを具えており、
前記固定機構は前記グラスと前記カップとを共にスナップ嵌めし、またはネジを介してともにねじ込み、前記クリーナーは、前記組立体の中にあることを特徴とする筆の手入れシステム。
【請求項１３】
筆の手入れシステムにおいて：
少なくとも１つの壁面と水を保有する部分を画定する密閉された底部とを有する、筆を乾燥するための容器を提供する乾燥グラスと、
筆をこれに対して激しく動かすことができる、摩擦を発生する表面を提供するクリーナーと、
筆を洗浄する液体を保有するための洗浄カップであって、さらに固体状、液体状、および粒子状の清浄化材料の組から選ばれた清浄化材料を保有することができる洗浄カップとを具えており、
前記乾燥グラスはさらに当該乾燥グラスの壁面に１つ以上の開口を有し、前記開口は乾燥を補助する空気の流れを提供することを特徴とする筆の手入れシステム。
【請求項１４】
筆の手入れシステムにおいて：
少なくとも１つの壁面を有する、筆を乾燥するための容器を提供する乾燥グラスであって、前記壁面は前記乾燥グラス内での筆の乾燥を補助する換気を提供する１つ以上の開口を有している、乾燥グラスと、
筆をこれに対して激しく動かすことができる、摩擦を発生する表面を提供するクリーナーであって、当該クリーナーに接続された取り出しハンドルを有するクリーナーと、
筆を洗浄する液体を保有するための洗浄カップであって、清浄化材料を保有することができる洗浄カップと、
前記洗浄カップ内に配置された界面活性剤の錠剤とを具え、前記クリーナーは前記界面活性剤の錠剤の上に載ることを特徴とする筆の手入れシステム。
【請求項１５】
筆の手入れシステムにおいて：
少なくとも１つの壁面を有する、筆を乾燥するための容器を提供する乾燥グラスであって、前記壁面は前記乾燥グラス内での筆の乾燥を補助する換気を提供する１つ以上の開口を有している、乾燥グラスと、
筆をこれに対して激しく動かすことができる、摩擦を発生する表面を提供するクリーナーと、
筆を洗浄する液体を保有するための洗浄カップであって、清浄化材料を保有することができる洗浄カップとを具えており、前記洗浄カップは複数の仕切りを有し、円形を有しており、前記複数の仕切りは、それぞれ円形を有して異なる直径を有する２つの仕切りを含むことを特徴とするシステム。
【請求項１６】
筆の手入れシステムにおいて：
筆を洗浄する液体を収容するための手段であって、前記液体は界面活性剤を開放するように溶解する溶解性の固体を有する溶液を含み、溶解性の界面活性剤は錠剤の形状を有し、前記筆は筆の繊維を有している、手段と、
摩擦を提供するための手段であって、筆の繊維を激しく動かし、かつ繊維に付着している物質を取り除くために、筆を湿らせてこの手段に対して擦ることができるように、前記液体に対して配置されている手段とを具えており、
前記摩擦を提供するための手段は、前記溶解性の固体が溶解するのに伴い、液体を収容するための手段内で下降することを特徴とする筆の手入れシステム。
【発明の詳細な説明】
【技術分野】
【０００１】
この出願は、２００９年１２月４日に出願された、「筆の手入れシステム（Ｂｒｕｓｈ  Ｃａｒｅ  Ｓｙｓｔｅｍ）」と題する、発明者が（Ｄｉａｎｅ  Ａｄｌｅｒ  Ｂａｋｅｒ、およびＭａｌｃｏｌｍ  Ｄａｖｅｎｐｏｒｔ  Ｐｌａｎｔである、米国仮特許出願第６１／２６６，９９３号の利益を主張し、これは、参照によりその全体が、全ての目的のために、本明細書に組み込まれる。
【０００２】
本出願は、ＢａｋｅｒおよびＰｌａｎｔに付与された、米国特許第７，１４０，０６１号にも関連し、これは、参照によりその全体を全ての目的のために、本明細書に組み込まれる。
【背景技術】
【０００３】
美術用および化粧品用の筆は、多くの形状およびサイズで提供され、これらには価値があり、高価な道具である。しばしば、ユーザの時間の多くは、ユーザが化粧をすること、もしくは絵を書くこと、または他の活動に費やす時間よりも、ユーザの筆の手入れおよび管理により占められる。任意の種類の化粧品、または絵の具を使用している人々にとって、筆の手入れをすることは重要である。化粧品については、汚れた筆は、皮膚の刺激または感染を引き起こす可能性があり、不純物を顔へ、および化粧品製品の中に戻るように運ぶ可能性がある。絵の具については、不適切な手入れは、急速な劣化を引き起こし、交換を必要とするようになるであろう。良質の筆は、高価であり、そのため、筆の保存は重要である。
【発明の概要】
【０００４】
筆の手入れシステムは、都合の良い貯蔵のためにともに適合するように、２つの部分を有して提供される。１つの部分は洗浄カップであり、このカップの底部に、石鹸の錠剤または他の清浄化材料を収容するように寸法設定される。本明細書における錠剤は、固形石鹸（粉末状の固体と対照的に）などのような、コンパクトな形態を意味し、具体的な形状を意味しない。錠剤は、任意のコンパクトな形状とすることができる。石鹸をぬらす（浸漬する）ために、水を追加することができ、一方で、クリーニングスクリーンは石鹸を保有し、クリーニングスクリーンを介して筆を石鹸でこすることを可能にする。クリーニングスクリーンは、筆の毛をゆるやかにかきまわして、絵の具、汚れ、化粧品、および他の材料をより効率的に筆の毛から取り除くことを可能にする。クリーニングスクリーンは、石鹸を保有している間に、水または他の流体がはけるようにすることも可能にする。洗浄カップは、２つ以上の仕切りによって構成されていてもよい。
【０００５】
第２の部分は、清浄化されたブラシを乾燥するためのスタンドとして機能する。このスタンドは、空気の循環を可能にするように孔が空けられている。このスタンドは、乾燥グラスであってもよい。乾燥グラスの底部は、乾燥グラス下部がすすぎのために清浄な水を保持してもよいように、密閉されていてもよい。
【図面の簡単な説明】
【０００６】
【図１】図１は、本発明の実施形態による、筆の手入れシステムを示す。
【図２】図２は、本発明の実施形態による、筆の手入れシステムを示し、より具体的には、絵筆を乾燥するためのシステムを描写する。
【図３】図３は、本発明の実施形態による筆の手入れシステムを示し、より具体的には、本システムで用いることができる、洗浄カップの実施形態、およびクリーニングスクリーンのいくつかの代替実施形態を描写する。
【図４】図４は、本発明の実施形態による、筆の手入れシステムを示し、より具体的には、組み立てられたシステムを描写する。
【図５】図５は、本発明の実施形態による、筆の手入れシステムを示し、より具体的には、洗浄カップの仕切りを描写する。
【発明を実施するための形態】
【０００７】
図１に示すように、筆の手入れシステム１００は、底部１０１、１つまたは複数の壁面１０３および開口（１０４ａ〜１０４ｆ）を含む乾燥グラス１０２と、除去ハンドル１１０を含むクリーニングスクリーン１０８を含む筆クリーナー１０６と、洗浄カップ１１２と、を含む。図１は、本システムの実施形態とともに用いられる界面活性剤の錠剤１１４も示す。好適な実施形態では、界面活性剤の錠剤１１４以外の全ての構成要素は、プラスチックから製作される。代替的な実施形態では、関連する構成要素は、機能性を可能にするセラミック、ガラス、または任意の材料から製作することができる。システムは、軽量で可搬となるように構成される。より小さいシステムおよびより大きいシステムも提供されるが、様々な寸法および形状の複数の筆を収容するように、システムが寸法設定されることが特に意図される。
【０００８】
一実施形態では、筆を乾燥させるときのより良好な換気のために、開口は、乾燥グラス１０２の底部１０１にあってもよい。別の実施形態では、図２に示されるように、筆をすすぐために、清浄な水を下部２０４に保持することができるように、乾燥グラス１０２の底部１０１は、密閉されていてもよい。
【０００９】
図２は、筆２０２とともに使用されている本発明の実施形態によるシステムを示す。図２に概して描写されるように、洗浄カップ１１２は、水、および、石鹸の錠剤、圧縮された洗剤、または他の固体清浄剤などのような、界面活性剤の錠剤１１４を保持する。筆クリーナー１０６は、界面活性剤の錠剤を保有するように、洗浄カップの内側に配置される。洗浄カップ１１２内の水位は、筆クリーナー１０６のクリーニングスクリーン１０８の上または下とすることができる。（代替的な実施形態では、洗浄カップ１１２は、ただの水、もしくは化学清浄剤などのような別の清浄液体を保持することができ、あるいは例えば洗剤の粉末、洗剤の液体、または液体、粉体、もしくは固体の石鹸の水中への溶液などの、溶液を保持することができる。界面活性剤の錠剤を使用する必要はない。）ハンドル１１０は、筆クリーナー１０６の容易な取り外しおよび交換を可能にする。
【００１０】
好適な実施形態では、本発明は、筆クリーナー１０６が界面活性剤の錠剤１１４に載置され、界面活性剤の錠剤１１４が溶解するのに従い、経時的に洗浄カップ１１２の中で下がる、動的な清浄化システムを提供する。多くの用途において、錠剤１１４は、石鹸、または他の溶解性の材料のケーキであり、これが溶解するのに従い、多くの使用にわたり、各使用の後に洗浄カップ１１２が水きりされるまで、クリーナー１０６は、非常にゆっくりと下がる。
【００１１】
システムは、布上の汚染物質が移ることを最小限にする、空気乾燥および空気循環を提供するため、衛生的でもある。洗浄カップは、清浄化材料の適切な廃棄、および清浄化後の残渣の清浄化も可能にする。
【００１２】
ユーザは、筆２０２を取って、毛（図示せず）をクリーニングスクリーンに対して、擦り付け、こすり、または激しく動かして、不純物、古い化粧品、残渣、および／または絵の具を取り除く。毛または他の筆の線維を示す代表的な筆が、米国特許第７，１４０，０６１号明細書の図１Ａ、および図１Ｂに描写される。他の筆、および毛、ならびに線維の構成は、当業者には周知であり、本発明の範囲内であると意図される。筆の線維および毛は、限定する目的では使用されておらず、概して長い毛、毛、線維、筆、または場合によっては、絵の具、ワニス、毛髪染料、または化粧品を表面に保持し塗布するために使用されるパッドを意味する。
【００１３】
クリーニングスクリーン１０８は、グリッドによって画定される開口を含む（これによって、四角または任意の他の形状の開口が画定されるように）ことができ、またはバーと隙間、もしくはペグなどのような、別の開口の構成および材料を含むことができ、これによって毛の摩擦および攪拌を可能にする、粗い、または分化した表面が生成される。
【００１４】
開口の異なる構成が、本発明の範囲内で提供される。非対称的または対照的として大雑把に特徴付けられる２つの異なる種類の開口が可能である。これら２つを区別するために、恣意的に配向された、（実質的に平らな）スクリーンの平面内の直交する軸ｘおよび軸ｙに対して任意の開口を考える。いずれの開口も、辺がこれらの軸に平行な、最小で取り囲むただ一つの長方形を有する。この長方形のｘ寸法およびｙ寸法を考える。これらの寸法の比が、［０．６７，１．５］の範囲外の場合、その開口を非対称的と呼ぶ。例えば、クリーナー（スクリーンまたはグリッド）内に画定された正方形の開口の２つの辺を接続する平行なワイヤ間の間隙として形成された開口は、概して非対称的となることになる。開口のｘ寸法とｙ寸法の比が、［０．６７，１．５］の＊範囲内＊になった場合、これを対称的と呼ぶ。例えば、同様なｘピッチとｙピッチとの平行なワイヤ部品の細かいグリッドによって形成されるおおよそ正方形の開口は、対称的となることになる。当然ながら、装置は、対称的および非対称的の両方を含む、異なる開口の組み合わせを含むことができる。本発明の範囲は、本明細書で定義されるように、対称的および非対称的の両方の開口を包含する。
【００１５】
清浄な水は、乾燥グラス１０２の水保有部２０４内に、すすぎのために保有することができる。その後、清浄な水を空にすることができ、ユーザは、乾燥のために、毛を下にして筆をスタンドに置くことができる。代替では、筆２０２を立てた位置で保有するように、乾燥グラス１０２内に、切り欠き、すなわちリテーナーが提供される。開口１０４ａ〜１０４ｆは、空気循環を可能にする。筆の毛を下向きに配置する前に、ユーザは、好適には、毛のまわりに、保護スリーブ、または他のカバーを配置する。かかる保護スリーブの一例は、Ｂａｋｅｒらの、米国特許第７，１４０，０６１号明細書に記述され、その内容およびすべての態様は、全ての目的のために、参照により本明細書に組み込まれる。代替的に、筆が乾燥グラスの中へ、毛を下にして配置される前に、毛の周りに、他のカバー、スリーブ、またはカップを配置することができる。
【００１６】
図３は、筆クリーナー１０６の洗浄スクリーン１０８のいくつかの代替の実施形態３０２、および３０４とともに、洗浄カップ１１２を示す。図１およびそれに続く図に描写されるように、筆クリーナー１０６は、筆の毛をこれに対してこするための粗い表面を提供するために、平行な開口およびバーをともなう平らなディスクのように概して形成される。３０２および３０４に描写されたものなどのような、多くの代替が意図される。筆クリーナーは、円形である必要は無く、洗浄カップの中に適合する、半円、三角形、または正方形などのような、任意の形状とすることができる。筆クリーナー上の粗い表面は、正方形、長方形、または三角形の開口部（例えば、スクリーンにおけるような）により、丸い穴により、または、クリーナーの上面上の突起部または突出部によってさえも提供することができる。代替的に、吸い取り布が提供される。
【００１７】
図４は、組み立てられた乾燥、清浄化、および洗浄装置４００を示す。好適な実施形態では、乾燥グラス１０２は、洗浄カップ１１２にしっかりと嵌る。他の代替では、乾燥グラス１０２および洗浄カップ１１２は、相互にねじ込むことができるようにねじ付きとすることができ、または機能性を保つ任意の既知の手段により取り付けることができる。いずれの代替でも、筆クリーナー１０６は、組み立てられた装置の内側に存在する。
【００１８】
一実施形態では、図１に示すように洗浄カップ１１２は、液体またはクリーナーのために、１つの容器を有するように構成される。唯一の容器は、洗浄カップの全内側である。
【００１９】
他の実施形態では、洗浄カップ１１２の中に、仕切り、またはエンクロージャー、もしくは洗浄カップ内の分離された区域によって画定することができる２つ以上の容器を有することが可能である。利点は、１つの洗浄カップ内に、２つ以上の種類の水、液体、または溶液を、個別に含むことである。１つの仕切りが清浄化のための溶液を含んでもよい一方で、別のものはすすぎのために清浄な水を含んでもよい。２つ以上の容器がある場合、容器は、洗浄カップと同じ形状を有していてもよく、同じ形状を有していなくてもよい。一実施形態では、洗浄カップは丸く、２つの半円として構成される、２つの仕切りを含む。一実施形態では、複数の容器をともなう丸い洗浄カップが、同心の、または同心でない、異なる直径の２つの丸として、構成されてもよい。仕切りは、洗浄カップと同じ高さか、または洗浄カップよりも低いかのいずれかの、それらの間の１つまたは複数の分割部によって有効にすることができる。分割部は、洗浄カップと同一の材料から作られていてもよい。複数の筆のためのより大きいシステムでは、より多くの容器が必要となる場合がある。
【００２０】
図５は、具現化された仕切りをともなう洗浄カップ１１２の平面図を示す。平面図５０２は、ただ１つの容器しかないときの、洗浄カップ１１２に対するものである。平面図５０４は、仕切りが、分割部５１４を伴う２つの半円であるときの、洗浄カップ１１２に対するものである。平面図５０６は、仕切りが、分割部５１６による２つの同心円であるときの、洗浄カップ１１２に対するものである。平面図５０８は、仕切りが、分割部５１８による同心でない２つの円であるときの、洗浄カップ１１２に対するものである。
【００２１】
先行の明細書では、本発明の様々な実施形態および態様が、その具体的な例を参照して記述されてきた。しかしながら、以下の特許請求の範囲に記載されるように、本発明のより広い趣旨および範囲から逸脱することなく、様々な改良および変更がなされてもよいことは明白であろう。明細書および図面は、限定的な意味よりも、例示的な意味であると適宜考えられる。これらおよび他の、図示された実施形態による変形、および図示された実施形態に対する改良は、本発明により提供され、その範囲は、以下の特許請求の範囲により定義される。
【図１】
0005951497.tif 000002
【図２】
0005951497.tif 000003
【図３】
0005951497.tif 000004
【図４】
0005951497.tif 000005
【図５】
0005951497.tif 000006